(57)【要約】  細長い部材を保護するための細長いスリーブ組立品およびその構成方法は、細長い部材を受け入れるためにスリーブの長手方向軸に沿って延びるキャビティを設ける内表面を有する壁部を有する繊維スリーブを有する。弾性を有する支持部材は壁部と連係して配置される。支持部材は横方向断面において弓形であり、壁部の内表面と当接する軸から外方に向く凸状の外側表面と、軸に向かって内方に向く凹状の内側表面とを有する。支持部材は、内表面の全周よりも短い長さで延在する。
2010512466.tif 000002
【特許請求の範囲】
【請求項１】
細長い部材を保護するための細長いスリーブ組立品であって、前記スリーブ組立品は、
前記細長い部材を受け入れるために前記スリーブ組立品の長手方向軸に沿って延びる１つのキャビティを少なくとも一部に設ける内表面を有する筒状の壁部を有する繊維スリーブと、
前記筒状の壁部と連係して配置され、前記壁部の全周よりも短い長さで延在し、弾性を有する支持部材とを備え、前記支持部材は、前記長手方向軸から半径方向外方に間隔をあけた内表面を有し、前記支持部材の内表面は、少なくとも一部に１つのキャビティを設ける、細長いスリーブ組立品。
【請求項２】
前記支持部材は、前記スリーブの内表面に隣接する凸状の外表面を有する、請求項１に記載のスリーブ組立品。
【請求項３】
前記支持部材の内表面は凹状である、請求項２に記載のスリーブ組立品。
【請求項４】
前記壁部は、周方向に連続的である、請求項３に記載のスリーブ組立品。
【請求項５】
前記壁部は、周方向に不連続であり、
前記長手方向軸に沿って延びる対向する自由端を有する、請求項１に記載のスリーブ組立品。
【請求項６】
前記対向する自由端は、重なり部を設けるように互いに重なり合い、前記支持部材は、前記重なり部において前記壁部内で組み合わされる、請求項５に記載のスリーブ組立品。
【請求項７】
前記対向する自由端は、重なり部を設けるように互いに重なり合い、前記支持部材は、前記重なり部と直径方向に対向して前記壁部内で組み合わされる、請求項５に記載のスリーブ組立品。
【請求項８】
前記支持部材は、前記長手方向軸から外方に向く外表面を有し、前記支持部材の内表面上を延びる糸と、前記支持部材の外表面上を延びる糸とによって、前記スリーブの壁部内に保持される、請求項１に記載のスリーブ組立品。
【請求項９】
前記糸は、前記長手方向軸と直交する方向に沿って延びる、請求項８に記載のスリーブ組立品。
【請求項１０】
前記スリーブの前記壁部は編物である、請求項８に記載のスリーブ組立品。
【請求項１１】
前記スリーブの前記壁部は、横糸挿入縦糸編みのものであり、前記糸は、横糸が挿入される前記長手方向軸と直交する方向に延びる、請求項１０に記載のスリーブ組立品。
【請求項１２】
前記スリーブの前記壁部は織物である、請求項８に記載のスリーブ組立品。
【請求項１３】
前記スリーブの前記壁部は、自己で巻き形状となるように付勢される糸を有する、請求項８に記載のスリーブ組立品。
【請求項１４】
前記スリーブの前記壁部は網状である、請求項１に記載のスリーブ組立品。
【請求項１５】
細長い部材を保護するための細長い繊維スリーブ組立品であって、前記スリーブ組立品は、
前記細長い部材を受け入れるために前記スリーブ組立品の長手方向軸に沿って延びる１つのキャビティを少なくとも一部に設ける織りあわされた糸の管状の壁部を有するスリーブと、
前記壁部の全周よりも短い長さで延在し、凹状の内側表面と凸状の外側表面とを有し、弾性を有する支持部材とを備え、前記支持部材は、前記支持部材の前記内側および外側表面上を延びる前記糸の少なくとも幾つかによって前記壁部の近くで支持される、細長いスリーブ組立品。
【請求項１６】
前記支持部材は、前記長手方向軸に概ね平行に延びる両端を有し、前記壁部は、前記支持部材の前記端部の少なくとも１つから横方向に延在する編物部を有する、請求項１５に記載のスリーブ組立品。
【請求項１７】
前記内側および外側表面上を延びる前記糸は、前記編物部内に挿入された横糸であり、前記挿入された横糸は、前記長手方向軸と直交する方向に延在する、請求項１６に記載のスリーブ組立品。
【請求項１８】
前記壁部は、前記端部の双方から横方向に延在する編物部を有する、請求項１７に記載のスリーブ組立品。
【請求項１９】
前記支持部材は、前記長手方向軸に概ね平行に延びる両端を有し、前記壁部は、前記端部の少なくとも１つから横方向に延在する織物部を有する、請求項１５に記載のスリーブ組立品。
【請求項２０】
前記内側および外側表面上を延びる前記糸は、前記織物部の一部を形成する横糸である、請求項１９に記載のスリーブ組立品。
【請求項２１】
細長い部材を保護するための細長い繊維スリーブ組立品を構成する方法であって、
凹状の内側表面と、該内側表面と反対側に凸状の外側表面とを有する壁本体を有する支持部材を設ける工程と、
複数の糸を有する繊維スリーブを形成する工程とを備え、前記スリーブは、前記細長い部材を受け入れるために前記スリーブの長手方向軸に沿って延びるキャビティの少なくとも一部を規定する内表面を有する壁部を有し、
前記支持部材の両側上で前記形成する工程において前記糸の少なくとも幾つかを組み合わせて、前記壁部内に前記支持部材を保持する工程をさらに備える、スリーブ組立品を構成する方法。
【請求項２２】
前記形成する工程において前記糸を編む工程をさらに含む、請求項２１に記載のスリーブ組立品を構成する方法。
【請求項２３】
横糸挿入縦糸編みプロセスを用いる工程と、前記壁部内に前記支持部材を保持するように前記支持部材の両側上で挿入された横糸を組み合わせる工程とをさらに含む、請求項２２に記載のスリーブ組立品を構成する方法。
【請求項２４】
前記形成する工程において前記糸を織る工程をさらに含む、請求項２１に記載のスリーブ組立品を構成する方法。
【請求項２５】
前記壁部内に前記支持部材を保持するように横糸方向に延びる糸を用いる工程をさらに含む、請求項２４に記載のスリーブ組立品を構成する方法。
【発明の詳細な説明】
【技術分野】
【０００１】
関連出願の相互参照
この出願は、２００６年１２月７日に出願された米国仮出願番号６０／８６８，９６１の利益を要求し、ここに全てが参照により引用される。
【０００２】
発明の背景
１．発明の分野
この発明は、概して細長い物品を受入れて保護する繊維スリーブおよびその構成方法に関する。
【背景技術】
【０００３】
２．発明の背景
保護スリーブは、たとえば配線のまとめ取付けや光ファイバケーブルのような細長い物品を結合して保護するために、工業、自動車産業、海洋産業、航空宇宙産業の至るところで使用されている。スリーブは、細長い物品を取り囲み、切断、磨耗、放熱、振動による擦り切れ、他の厳しい周囲からの脅威に対しそれらを保護する。保護スリーブ内に配置されると、配線やケーブルは、形の整った束内で共に保持され、サブアセンブリとして取り扱われる異種物品としての多様性を許容し、それらの最終的な環境への物品の一体化の際の時間と労力を減じる。
【０００４】
幾つかの適用例において、使用中であって保護される細長い物品は、たとえば電気的に駆動される摺動扉への適用や、車輌のトランクの蓋もしくはカバー、またはプリンターへの適用のように、それらが取付けられる物品に沿って移動する必要がある。したがって、保護スリーブは、細長い物品を保護する必要があるというのみならず、細長い物品が捩れたり、弛んだり、伸びたり、それ以外に損傷するということがないように、望ましくは自由に動くことができるようにされる必要がある。制限された範囲の動作を与えながら細長い部材を保護する既知の保護スリーブは、波形の管と連結された管部分とを含み、時にはキャタピラー型の管と呼ばれる。これらの物品は有用であるが、これらは概して複雑な製造プロセスやこれらを構成するために要求される材料のために高コストとなり、また大きく、比較的重く、細長い物品の動作の自由度を過度に制限し得る。
【発明の概要】
【課題を解決するための手段】
【０００５】
発明の概要
細長い部材を保護するための細長いスリーブは、細長い部材を受入れるためにスリーブの長手方向軸に沿って延びるキャビティを設ける内表面を有する壁部を備えた繊維スリーブを有する。弾性を有する支持部材が、壁部と連係して配置される。支持部材は、横断面においてアーチ形の形状を有し、壁部の内表面と係合するため上記軸から外方に向く外側凸状表面と、軸に向かって内方に向く内側凹状表面とを有する。支持部材は、内表面の全周よりも短い長さで延在する。
【０００６】
本発明の他の局面は、細長い部材を保護するための細長いスリーブ組立品を構成するための方法を提供する。その方法は、細長い部材を受入れるためにスリーブの長手方向軸に沿って延びるキャビティを設ける内表面を備える壁部を有するスリーブを形成することを含む。この方法は、さらに壁部と連係して弾性を有する支持部材を配置することを含み、支持部材はキャビティ内に直接配置されるか、スリーブの壁部内に織り合わされる。支持部材は、横断面においてアーチ形の形状を有し、上記軸から外方に向くように配置された
外側凸状表面と、軸に向かって内方に向くように配置された内側凹状表面とを有し、支持部材は、スリーブの内表面の全周よりも短い長さで延在する。
【０００７】
本発明のさらに他の局面は、連続した管状の閉じた壁部を有するか、あるいはスリーブの長さに沿って延び、対向する自由端を備え、開いた壁部を有するスリーブを形成することを含む。開いた壁部を有するスリーブを形成した場合、スリーブは熱処理され湾曲形状となるか、覆われ固定されて湾曲形状となるか、スリーブを形成する糸により自ずと湾曲形状となるようにバイアスをかけられ得る。スリーブの壁部が管状の閉じた壁部として構成されるか、開いた壁部として構成されるかにかかわらず、支持部材は、結合されたサブアセンブリを提供するように壁部内に織り合わされ得る。
【０００８】
支持部材は、内部の細長い部材へのダメージを防止するように、バイアスをかけられた位置でスリーブを維持しながら、きちんと整理された筐体におけるスリーブ内で細長い部材を維持するのを促進する。支持部材の弾性は、スリーブが弛むのを防止し、また使用中にスリーブの形状が変化しても、細長い部材が、捩れたり、伸びたり、それ以外に損傷することを防止する。
【０００９】
本発明のこれらおよび他の局面、特徴、効果は、後述する現状の好ましい実施の形態およびベストモード、添付のクレームおよび図面の記載と関連付けて考慮することでより明確となるであろう。
【図面の簡単な説明】
【００１０】
【図１】１つの現状の好ましい実施の形態による保護スリーブ組立品の側面図である。
【図２】図１の２−２線に沿うスリーブ組立品の断面模式図である。
【図３】Ｕ形状位置で示される図１の保護スリーブ組立品の部分斜視図である。
【図４】被覆されていない状態で示される現状の他の好ましい実施の形態により構成された保護スリーブ組立品の平面模式図である。
【図５Ａ】図４のスリーブ組立品の編みパターンの一部を示す編み図である。
【図５Ｂ】図４のスリーブ組立品の編みパターンの残りの部分を示す編み図である。
【図６】部分的に被覆された状態で示される図４の保護スリーブ組立品を示す概略斜視図である。
【図７】現状のさらに他の好ましい実施の形態により構成された保護スリーブ組立品の概略斜視図である。
【図８】現状のさらに他の好ましい実施の形態により構成されたスリーブ組立品の部分斜視図である。
【図９】図８の９−９線に沿うスリーブ組立品の断面模式図である。
【図１０】部分的な構成状態のスリーブ組立品を示す図８のスリーブの断面模式図である。
【図１１】異なる部分的な構成状態のスリーブ組立品を示す図１０に類似の断面模式図である。
【図１２】本発明により構成された保護スリーブ組立品を収容し分配するための収納容器を示す側面模式図である。
【発明を実施するための形態】
【００１１】
現状の好ましい実施の形態の詳細な説明
より詳細に図面を参照すると、図１〜３は、現状の好ましい１つの実施の形態により構成された保護スリーブ組立品１０を示す。保護スリーブ組立品１０は、スリーブ１２と、板状あるいは弾性を有する支持部材１４とを有する。スリーブ１２は、織物で構成され、ここでは例示の目的で、閉じており周方向に連続した管状の壁部１６として表される。壁
部１６は、たとえば個々の配線や組配線のような細長い部材２０を受入れるのに適した大きさの内部キャビティ１８を少なくとも一部に設ける。支持部材１４は、壁部１６と近接し、一部にキャビティ１８を設け、ここでは長手方向の中心軸１９から径方向外方に離れてキャビティ１８内に概ね受入れられ、壁部１６とほぼ接触するものとして示されている。支持部材１４は、特に使用中にスリーブ１２を曲げたり他の操作をする間に、スリーブ１２を支持し、スリーブ１２および細長い部材２０の動作を容易にする。スリーブ組立品１０が使用中に曲げられたりそれ以外に移動されたり操作される場合でも、支持部材１４は、細長い部材２０が弛んだり、捩れたり、伸びたり、それ以外に損傷するのを阻止する。したがって、保護スリーブ組立品１０は、例示の目的であって限定するものではないが摺動扉や車輌のトランクの蓋や車輌のボンネット等に適用した際に、保護スリーブ組立品１０や細長い部材２０の少なくとも一部が曲げられたり撓んだりした場合に、特に有用である。
【００１２】
スリーブ１２は、例示の目的であって限定するものではないが、様々な織り合わせ形状となるように、機織法、編組、編成、釣針編のように考えられ得る織物を構成可能な全ての適切な方法で形成される。図１〜３に示されるスリーブは、選択された繊維糸を互いに編組することで構成され、糸は用途によって適切な材料あるいは材料の組合せから選択される。したがって、スリーブ１２は、要求される動作特性によって選択された、モノフィラメントおよび／またはモノフィラメント糸で構成可能である。たとえば、糸は、熱設定可能なもの、高温耐性のあるもの、難燃性のもの、騒音緩和性のもの、化学的耐性のあるもの、導電性のあるもの、その他のものであり得る。
【００１３】
図２に最も良く示されるように、支持部材１４は、両端部２２，２４間で延在する端部２３，２５を有する壁本体２１を有する。スリーブ１２を構成する際に、支持部材１４は、好ましくはキャビティ１８を通して、端部２３，２５がスリーブ１２の中心軸１９と実質的に平行となり、長手方向の両端部２２，２４がスリーブ１２の両端部から露出するようにスリーブ１２に挿入される。壁本体２１は、横断面においてアーチ形状を有しており、凸状の外側表面２６と、凹状の内側表面２８とを有する。支持部材１４の壁本体２１は、スリーブ１２の壁部１６の全内周の長さよりも短い長さだけ延在するように構成され、より好ましくは、たとえば壁部１６の内周の約１０度〜１３５度の角度範囲にわたって延在する。スリーブ１２内に受入れられる際に、凸状の外側表面２６は、この外側表面２６と壁部１６の間に実質的にスペースが存在せず、実質的に全表面にわたって壁部１６がスリーブ１２と面接触しているかのように壁部１６に沿う。他方、凹状の内側表面２８は、少なくとも一部において、キャビティ１８を設けるようにスリーブ１２の中心軸１９から径方向外方に離れたままであり、したがって、支持部材１４は、キャビティ１８を通して配線あるいは組配線２０を通過させる際の障害とならない。支持部材１４は、例示の目的であって限定するものではないが、強化ポリマーや熱設定可能な材料を含む、金属および／またはポリマー並びにそれらの複合物のような、適切な弾性材料で構成可能である。ここで示される具体例は、ケブラー/ガラス繊維（ｇｌａｓｓ／Ｋｅｖｌａｒ（登録商標））強化プラスチックである。
【００１４】
図３に示すように、使用時に、保護スリーブ１０は、概ねＵ形状に配置される。スリーブ１２および／または支持部材１４の一方の端部は、固定部材のような部材に取付られ、スリーブ１２および／または支持部材１４の他方の端部は、電気的に駆動される摺動ドアのような可動部材等の別部材に取付られ、たとえばそれらの間に弓形で概ねＵ形状の中央部２９が形成される。摺動ドアが動いて形を変えるにつれて、保護スリーブ組立品１０の対応する端部はドアと共に移動し、それにより保護スリーブ組立品１０は変形する。ここで、概ね弧状の中央部分は、弾性を有する支持部材１４のために、それが変形した際においても弧状半径を維持する。弾性を有する支持部材１４は、スリーブ１２、つまりスリーブ１２内の長手部材２０を、それらが移動する際に整った配置のままで維持し、またワイ
ヤ２０に対する妨害や衝突を回避するように、スリーブ壁１６の内表面と近接した状態とする。さらに、支持部材１４の弾力性および横方向の湾曲形状のため、スリーブ１２および長手の支持部材１４は、前後に移動しながら所定の概ね一定の反復可能な経路に従うこととなる。このようにして保護スリーブ組立品１０は、それが使用時に損傷しないような最良の向きに方向付けられる。
【００１５】
図４および図６に、本発明の他の実施の形態による保護スリーブ組立品１１０が示される。ここでは、上述の実施の形態１における類似の構成を認識できるようにするために１００を付加した参照番号が使用されている。保護スリーブ組立品は、スリーブ１１２と、支持部材１１４を有する。スリーブ１１２は、両縁部を有し、これ以降、自由端４０、４２として参照され、長手方向の軸４１（いわゆる”巻きたばこ”の包装）に平行に延びる。自由端４０、４２には、該自由端が巻かれず互いに間隔をあけて開いた位置となるように、スリーブ１１２の付勢力に打ち勝つのに十分な力を与えることで開かれる、解放された継ぎ目を設ける。自由端４０、４２が巻かれない位置にある時に、長手の部品がキャビティ１１８内に配置され、あるいはそこから除去される。長手の部品を挿入あるいは取り外す際には自由端４０、４２を互いに引き離す力が解放され、自由端は、キャビティ１１８を取り囲むように、自ら湾曲した付勢位置に戻る。
【００１６】
実施の形態１のように、スリーブ１１２は、ここで示されるように、縦横方向のいずれかに適切なモノフィラメントおよび／またはマルチフィラメント糸を用いた横糸挿入縦糸編み（ｗｅｆｔ−ｉｎｓｅｒｔｉｏｎ  ｗａｒｐ  ｋｎｉｔｔｉｎｇ）プロセスによって構成された、網状、織物、クローシェ編物、編物のいずれであってもよい。支持部材１１４は、上述の場合と同様にして構成され、同様の機能を発揮する。したがって、これ以降個別に詳細には説明しない。
【００１７】
横糸挿入縦糸編みされたスリーブ１１２は、支持部材１１４がスリーブの壁によって支持されるように構成される。支持部材１１４は、その両側１２６，１２８において、両端４０、４２間の概ね中央で横糸挿入糸によって捕捉されるものとしてここでは示されている。横糸挿入糸は、ここでは実施例であって限定されないものであり、両端４０、４２間を延在する１つのマルチフィラメント糸４３（図４および図５Ａ）を含むものとして示されている。横糸挿入モノフィラメント糸４５，４７，４９の３つの追加のセット（図５Ｂ）が、両端４０、４２間の３つの分離した領域１，２，３上にそれぞれ挿入される。領域１は端部４０と支持部材１１４間で延在し、領域２は領域１から支持部材１１４を横切って延在し、領域３は領域２から他の端部４２に延在する。たとえば図５Ａと図５Ｂの編み図に最も良く示されるように、３０個の縫い針が表され（３つの分離したグループ１−１０における数字）、支持部材１１４は領域１，３の横に配置されている。領域１，３は、たとえば閉じたタイプの鎖編みやピラースティッチ（ｐｉｌｌａｒ  ｓｔｉｔｃｈ）編みを用いて横糸挿入糸４３，４５，４７と縫い合わせられた縦糸編みマルチフィラメント糸５１を含む。なお、開いたタイプの鎖編み、開いたタイプのトリコット編み、閉じたタイプのトリコット編みのような他の縦糸編みも意図されており、モノフィラメント糸を組合せてあるいはマルチフィラメント糸５１の代わりに使用することができる。領域２は支持部材１１４と横糸挿入糸４３，４７を含む。横糸挿入マルチフィラメント糸４３は、スリーブ組立品１１０の外側に面する側としてここでは示される支持部材１１４の一方側上を通過し、横糸挿入モノフィラメント糸４７は、スリーブ組立品１１０のキャビティ１１８に面する支持部材１１４の反対側上を通過する。
【００１８】
横糸挿入糸４５，４７，４９によって部分的に形成された３つの領域は、スリーブ組立品１１０の長さ方向に沿って支持部材１１４の側面に位置する一体ヒンジ（ＬＨ、図５Ｂ）を設ける役割を果たす。それにより、スリーブ組立品１１０が管状に容易に巻かれることを許容する。図５Ｂに示すように、端部縫い針上での応力を減じるために、横糸挿入糸
４５，４９は、横糸挿入マルチフィラメント糸４３と同様に１０個の縫い針を横切るように挿入され、各端部４０，４２を超える１つの縫い針が横糸挿入糸４３と縦糸編み糸５１との双方を有する最後の縫い針に対応する。このようにして横糸挿入糸４５，４９は、端部４０，４２から外方に延在する。
【００１９】
図６に示すように、支持部材１１４は、自由端４０，４２間の概ね中央に配置されて保持され、巻かれたスリーブ１１２の上包部４４と概ね対向する。作製中に、スリーブ１１２は、内部に支持部材１１４を保持して、概ね平坦な基板として構成され、その後湾曲形状に成形される。湾曲形状を得るためにスリーブ１１２を熱処理すると、すぐに自由端４０，４２が付勢されて互いに重なるような位置関係となることが好ましい。また、適用対象の要請によって、自由端４０，４２は、それらの間に若干の空隙を有してもよい。スリーブ１１２が熱処理されると、支持部材１１４も熱処理され、予め成形されていなければ弓形となる。熱処理に加え、スリーブ１１２は、自由端近傍において留め具を使用して湾曲して巻かれた形状に成形してもよい。たとえば自由端４０，４２の重なり部分の間に面状ファスナ（ｈｏｏｋ−ａｎｄ−ｌｏｏｐ  ｔｙｐｅ  ｆａｓｔｅｎｅｒ）を使用することができる。フック部５３は、自由端４０近傍のスリーブ１１２の外表面上に取り付けられ、ループ部５５は、自由端４２近傍のスリーブ１１２の内表面上に取り付けられる。
【００２０】
湾曲形状を達成するために、スリーブ１１２を熱処理したり固定することに加え、自己湾曲形状となるように織物や編み糸の少なくとも幾つかによって自己付勢されるようにすることもできる。このタイプの構成では、スリーブ１１２の完成時に現行の織機や編み機（図示せず）上でスリーブ１１２が湾曲するように、横糸および／または縦糸は、残りの糸に付勢力を与えるように配置される。横糸４３，４５，４７，４９は、自己で巻き形状となる付勢力を与え、縦糸は、張力下で織られあるいは編まれる。それにより、スリーブ１１２の外周付近に巻き張力を与える。縦糸５１が自己で巻き形状となる自己巻き付勢力を与える場合、縦糸は横糸に対して剛性の高いモノフィラメントとして設けられる。それにより、スリーブ１１２の軸４１に関して横糸に自己巻き力を与える。
【００２１】
図７に、他の現状の好ましい実施の形態による保護スリーブ組立品２１０が示される。ここでは、上述の実施の形態１における類似の構成を認識できるようにするために２００を付加した参照番号が使用されている。保護スリーブ組立品２１０は、実施の形態２における保護スリーブ組立品１１０と類似しているが、支持部材２１４が、他の自由端２４２の直下に巻かれる自由端２４０の近傍に配置されている。したがって、支持部材２１４は、スリーブ組立品２１０の重なり部２４４によって少なくとも部分的に覆われる。それ以外は、スリーブ組立品は、実施の形態２に記載されたものと同様である。
【００２２】
図８に、本発明の他の実施の形態による保護スリーブ組立品３１０の一部が示される。ここでは、上述の実施の形態１における類似の構成を認識できるようにするために３００を付加した参照番号が使用されている。スリーブ組立品３１０は、上述の保護スリーブ組立品１１０と類似しているが、編みプロセスで構成されるより寧ろ、織りプロセスで構成される。スリーブ組立品３１０は、シングルフィル（ｆｉｌｌ）アームあるいはダブルフィル（ｆｉｌｌ）アームを有するもののように、時に”２重ピック挿入（ｄｕａｌ  ｐｉｃｋ  ｉｎｓｅｒｔｉｏｎ）”と呼ばれるもの等いかなる適切な編み機を用いても構成可能である。
【００２３】
スリーブ組立品３１０は、支持部材３１４が壁部３１６に対して周方向に動くことができないようにその内部に支持部材３１４を保持する壁部３１６を有する。壁部３１６は、スリーブ組立品１０に関連して、あるいは開いた壁部として述べたように、周方向に連続的な壁として構成される。スリーブ組立品３１０は、スリーブ組立品１１０，２１０に関連して述べたように、取り囲まれるキャビティに沿って延びる長手方向軸に平行に延び対
向する自由端（図示せず）を有する。支持部材３１４は、たとえば壁部３１６の両端間あるいは一方の端部近傍に位置する中間位置が開放された構成となるように、壁部内の半径方向のいかなる所望の位置にも配置可能である。その最終形状に拘わらず、壁部３１６は、上述の材質のような適切ないかなる材質のモノフィラメントおよび／またはマルチフィラメント糸を用いた織物である。
【００２４】
スリーブ組立品３１０の実施の形態は、長手の縦糸方向に沿って延びるマルチフィラメント糸５７と、幅方向である横糸あるいはフィル方向に沿って延びるマルチフィラメント糸５９とモノフィラメント糸６１の双方とを有する。２重ピック挿入を用いる場合、ダブルフィルアームがスリーブ３１２の幅を一方向（図１０において矢印１で示される）に横切り、その後反対方向（図１１において矢印２で示される）にスリーブ３１２の幅を横切るように逆方向を向く。結果的にこの実施の形態のスリーブ３１２は、スリーブ３１２の外側にあるものとして（図９）具体例によってここに示された支持部材３１４の共通の側の上を通過するように編まれたマルチフィラメント糸５９と、スリーブ３１２の内側にあるものとして具体例によってここに示された支持部材３１４の共通の側の上を通過するように編まれたモノフィラメント糸６１とを有して形成される。したがって、支持部材３１４は、一方側では幅方向の横糸マルチフィラメント糸５９、他方側では幅方向の横糸モノフィラメント糸６１によってのみ保持される。既に述べたように、スリーブ組立品３１０は、たとえば横糸の方向が逆方向とされ、支持部材３１４の外側にモノフィラメント糸６１、支持部材３１４の内側にマルチフィラメント糸５９を有するように、図示されたものとは異なる構成を有してもよい。また、スリーブは、所望であれば、モノフィラメント糸あるいはマルチフィラメント糸によって全体が構成することができる。本発明のスリーブ組立品を構成するには、いかなる所望の糸の置換も行えることが理解される。
【００２５】
図１２に示すように、上述の保護スリーブ組立品１０，１１０，２１０，３１０は、全てコイル状に巻かれた状態および使用の際の要求に応じで選択的にコイル状に巻かれずに格納される。容易に格納するために、コイル状に巻かれたスリーブ組立品を保持するために、いかなる適切な巻き枠４７も使用可能である。巻き枠４７は、必要に応じてスリーブ組立品１０，１１０，２１０を自動的に巻き取るために、ばねで付勢することができる。スリーブ組立品を巻き取りおよび開放するために、モータ駆動の巻き枠のような他の自動化された機構を採用することができることも認識されるべきである。また、巻き枠４７は、チャンバ４９内に収容され、スリーブ組立品の巻き取られた部分を保護する。
【００２６】
上述の教示に鑑み、本願発明の多くの改良や変形が可能であることは明らかである。たとえば支持部材は、縫い合わせや接着あるいはその他の別な方法でスリーブに取り付けることができる。したがって、添付されたクレームの範囲内で、本願発明は具体的に記述されたものとは別の方法で実施されるかもしれないということが理解される。
【図１】
2010512466.tif 000003
【図２】
2010512466.tif 000004
【図３】
2010512466.tif 000005
【図４】
2010512466.tif 000006
【図５Ａ】
2010512466.tif 000007
【図５Ｂ】
2010512466.tif 000008
【図６】
2010512466.tif 000009
【図７】
2010512466.tif 000010
【図８】
2010512466.tif 000011
【図９】
2010512466.tif 000012
【図１０】
2010512466.tif 000013
【図１１】
2010512466.tif 000014
【図１２】
2010512466.tif 000015
【国際調査報告】
2010512466.tif 000016